(57)【特許請求の範囲】
【請求項１】
エレベーターの第１ガイドレールを構成する第１レール部材及び第２レール部材に、ボルト及びナットを使用して設けられ、表面が、前記第１レール部材の上端部背面及び前記第２レール部材の下端部背面に対向する第１目板と、
前記第１目板に設けられ、下面が前記第１目板の上面に対向し、一側部が、前記第１目板の背面より前記第２レール部材の背面から離れた位置に配置された第１支持台と、
前記第１目板の背面に設けられ、前記第１支持台の一側部を下方から支持する第１補強材と、
前記第１支持台の上面に載せられ、クリップ装置を使用して前記第２レール部材に設けられた嵩上げ台と、
一端部が、前記嵩上げ台の上面に載せられ、クリップ装置を使用して前記第２レール部材に設けられた第１取付梁と、
エレベーターの第２ガイドレールを構成する第３レール部材及び第４レール部材に、ボルト及びナットを使用して設けられ、表面が、前記第３レール部材の上端部背面及び前記第４レール部材の下端部背面に対向する第２目板と、
前記第２目板に設けられ、下面が前記第２目板の上面に対向し、一側部が、前記第２目板の背面より前記第４レール部材の背面から離れた位置に配置された第２支持台と、
前記第２目板の背面に設けられ、前記第２支持台の一側部を下方から支持する第２補強材と、
前記第２支持台の上面に載せられた第２取付梁と、
を備え、
前記第１取付梁は、他端部が前記第２取付梁に載せられ、
前記嵩上げ台は、前記第２取付梁の高さと同じ高さを有する
エレベーターの支持装置。
【発明の詳細な説明】
【技術分野】
【０００１】
この発明は、エレベーターの機器の重量や昇降体の重量を支持するための支持装置に関するものである。
【背景技術】
【０００２】
図９及び図１０は、エレベーターの従来の支持装置を示す斜視図である。図９は、ガイドレール１の正面側から支持装置を見た図を示している。図１０は、ガイドレール１の背面側から支持装置を見た図を示している。図９及び図１０に示すガイドレール１は、昇降路２内において、一番上に配置された部分を示している。
【０００３】
従来の支持装置は、例えば、固定体１７、支持台１８を備える。固定体１７は、ガイドレール１の背面に、ボルト１９及びナット２０を使用して固定される。支持台１８は、固定体１７の上面に設けられる。支持台１８は、エレベーターの上部機器の重量や昇降体の重量を支持するための台として利用される。
【０００４】
図９及び図１０に示す従来の支持装置では、固定体１７をガイドレール１に固定するための孔を、ガイドレール１に設ける必要がある。この孔は、専用の加工機で加工しなければならない。このため、ガイドレール１の運搬や孔あけ加工に手間と時間とを要し、コストが高くなるといった問題があった。また、孔の加工数を低減するためには、ボルト１９のせん断荷重に対する耐力を上げる必要がある。支圧接合であればリーマボルトを、摩擦接合であれば高力ボルトを使用しなければならず、コストを低減させることができなかった。
【０００５】
下記特許文献１に、目板を利用して、エレベーターの機器を支持する装置が提案されている。
【先行技術文献】
【特許文献】
【０００６】
【特許文献１】特開平８−１６９６６２号公報
【発明の概要】
【発明が解決しようとする課題】
【０００７】
特許文献１に記載された装置では、目板が、大きな曲げモーメントに耐えることができない。このため、支持できるものが、一時的に設置されるものに限られてしまう。エレベーターの上部機器の重量や昇降体の重量を恒久的に支持するための台として利用することはできなかった。
【０００８】
この発明は、上述のような課題を解決するためになされたもので、その目的は、コストの上昇を抑制し、且つ、エレベーターの上部機器の重量や昇降体の重量を支持することができるエレベーターの支持装置を提供することである。
【課題を解決するための手段】
【０００９】
この発明に係るエレベーターの支持装置は、エレベーターの第１ガイドレールを構成する第１レール部材及び第２レール部材に、ボルト及びナットを使用して設けられ、表面が、第１レール部材の上端部背面及び第２レール部材の下端部背面に対向する第１目板と、第１目板に設けられ、下面が第１目板の上面に対向し、一側部が、第１目板の背面より第２レール部材の背面から離れた位置に配置された第１支持台と、第１目板の背面に設けられ、第１支持台の一側部を下方から支持する第１補強材と、第１支持台の上面に載せられ、クリップ装置を使用して第２レール部材に設けられた嵩上げ台と、一端部が、嵩上げ台の上面に載せられ、クリップ装置を使用して第２レール部材に設けられた第１取付梁と、エレベーターの第２ガイドレールを構成する第３レール部材及び第４レール部材に、ボルト及びナットを使用して設けられ、表面が、第３レール部材の上端部背面及び第４レール部材の下端部背面に対向する第２目板と、第２目板に設けられ、下面が第２目板の上面に対向し、一側部が、第２目板の背面より第４レール部材の背面から離れた位置に配置された第２支持台と、第２目板の背面に設けられ、第２支持台の一側部を下方から支持する第２補強材と、第２支持台の上面に載せられた第２取付梁と、を備え、第１取付梁は、他端部が第２取付梁に載せられ、嵩上げ台は、第２取付梁の高さと同じ高さを有するものである。
【発明の効果】
【００１０】
この発明に係るエレベーターの支持装置であれば、コストが上昇することを抑制することができ、且つ、エレベーターの上部機器の重量や昇降体の重量を支持することができる。
【図面の簡単な説明】
【００１１】
【図１】この発明の実施の形態１におけるエレベーターの支持装置を示す斜視図である。
【図２】この発明の実施の形態１におけるエレベーターの支持装置を示す斜視図である。
【図３】この発明の実施の形態１におけるエレベーターの支持装置の機能を説明するための図である。
【図４】エレベーターの従来の支持装置の機能を説明するための図である。
【図５】この発明の実施の形態２におけるエレベーターの支持装置を示す斜視図である。
【図６】図５に示す嵩上げ台の斜視図である。
【図７】この発明の実施の形態２におけるエレベーターの支持装置の機能を説明するための図である。
【図８】この発明の実施の形態２におけるエレベーターの支持装置の機能を説明するための比較図である。
【図９】エレベーターの従来の支持装置を示す図である。
【図１０】エレベーターの従来の支持装置を示す図である。
【発明を実施するための形態】
【００１２】
添付の図面を参照して、本発明を詳細に説明する。各図では、同一又は相当する部分に、同一の符号を付している。重複する説明は、適宜簡略化或いは省略する。
【００１３】
実施の形態１．
図１及び図２は、この発明の実施の形態１におけるエレベーターの支持装置を示す斜視図である。図１は、ガイドレール１の正面側から支持装置を見た図を示している。図２は、ガイドレール１の背面側から支持装置を見た図を示している。
【００１４】
図１及び図２に示すガイドレール１は、昇降路２内において、一番上に配置された部分からなる。ガイドレール１は、所定の長さを有する複数のレール部材が、上下に一直線状に配置されることによって構成される。レール部材１ａは、昇降路２内において一番上に配置される。レール部材１ｂは、上端部が、レール部材１ａの下端部に接続される。即ち、レール部材１ｂは、昇降路２内において上から二番目に配置される。
【００１５】
ガイドレール１（各レール部材）は、例えば、断面がＴ字状を呈する。板状を呈するフランジ部１Ａから、ガイド部１Ｂが突出する。
【００１６】
上下に隣接するレール部材は、目板によって接続される。目板３は、レール部材１ｂの上端部とレール部材１ａの下端部とを接続するためのものである。目板３は、例えば、直方体状を呈する。目板３は、ガイドレール１のフランジ部１Ａの幅と同じ幅を有する。また、目板３は、所定の厚み及び高さ（長さ）を有する。
【００１７】
目板３は、複数のボルト４と、ボルト４と対になるナット５とを使用して、ガイドレール１に固定される。レール部材には、上端部及び下端部に、目板を取り付けるための複数の取付孔（図示せず）が形成される。目板には、表面から背面に貫通する複数の取付孔（図示せず）が形成される。例えば、目板３は、表面が、レール部材１ｂの上端部背面とレール部材１ａの下端部背面とに対向するように配置される。４本のボルト４は、レール部材１ｂの上端部に形成された取付孔と目板３の下部側に形成された取付孔とを貫通し、目板３の背面側で、ナット５に締め付けられる。他の４本のボルト４は、レール部材１ａの下端部に形成された取付孔と目板３の上部側に形成された取付孔とを貫通し、目板３の背面側で、ナット５に締め付けられる。
【００１８】
建物にエレベーター専用の機械室が備えられていない場合、エレベーターの各種機器を昇降路２内に設置しなければならない。エレベーターの上部機器（返し車・綱止め・それらを固定するための梁や柱）の重量や昇降体（かご・つり合いおもり）の重量を、ガイドレール１によって支持する必要がある。例えば、目板３の設置高さと上部機器等の支持高さとが一致するように、予めレール立てを計画する。そして、目板３に、支持台６と補強材７とを固定する。
【００１９】
本実施の形態では、上記支持高さを、レール部材１ａ及び１ｂの接合高さに合わせて配置する場合を示している。しかし、これは一例を示したものである。上記支持高さを、他のレール部材の接合高さに合わせて配置しても構わない。
【００２０】
支持台６は、エレベーターの上部機器の重量や昇降体の重量を、下方から（上面で）受け止めるためのものである。支持台６は、例えば、板状を呈する部材からなる。支持台６は、目板３の厚みよりも大きな所定の幅を有する。支持台６は、目板３の幅よりも大きな所定の長さを有する。支持台６は、目板３の上面に設けられる。支持台６は、下面が、目板３の上面に対向する。また、支持台６は、その幅方向が目板３の厚み方向を向くように、水平に配置される。支持台６は、端部が、ガイドレール１（レール部材１ａ）の両側に突出する。支持台６は、一方の側部が、ガイドレール１（レール部材１ａ）の背面に接触するように（或いは、近接するように）配置される。このため、支持台６の他方の側部は、目板３の背面から突出し、目板３の背面よりも更にガイドレール１（レール部材１ａ）から離れた位置に配置される。
【００２１】
補強材７は、支持台６の他方の側部を下方から支持するためのものである。補強材７は、例えば、板状或いは棒状を呈する部材からなる。補強材７は、目板３の背面に設けられる。補強材７は、その長手が上下方向を向くように配置される。補強材７は、目板３の背面の中央部に、目板３の上端部から下端部に渡って配置される。補強材７の上端部は、支持台６の他方の側部に下方から設けられる。
【００２２】
上記構成を有する支持装置であれば、エレベーターの上部機器の重量や昇降体の重量を確実に支持することができる。補強材７が支持台６の他方の側部を下方から支持するため、目板３の断面性能（断面２次モーメント・断面係数）を向上させることができる。支持台６に大きな曲げモーメントが作用しても、従来のような問題は生じない。
【００２３】
図３はこの発明の実施の形態１におけるエレベーターの支持装置の機能を説明するための図である。図３は、支持台６に対して、鉛直方向に荷重Ｐが作用した状態を示している。目板３は、８本のボルト４を使用してガイドレール１に設けられる。このため、各ボルト４に作用するせん断荷重はＰ／８となり、高価なリーマボルトや高力ボルトを使用する必要がない。なお、図４はエレベーターの従来の支持装置の機能を説明するための図である。従来の支持装置では、同様の荷重Ｐが支持台１８に作用すると、各ボルト１９にＰ／４のせん断荷重が作用してしまう。
【００２４】
また、目板３を利用して支持装置を構成しているため、部品を共通化してコストダウンを図ることができる。目板３を取り付けるための取付孔を加工する作業は、自動ライン上で行うことができる。このため、従来のように、専用の加工機によってガイドレール１に孔あけ加工を行う必要もない。
【００２５】
実施の形態２．
図５はこの発明の実施の形態２におけるエレベーターの支持装置を示す斜視図である。
昇降路２に、ガイドレール１及び８が設けられる。ガイドレール１がエレベーターのかご用であれば、ガイドレール８は、例えば、つり合いおもり用である。
【００２６】
ガイドレール８もガイドレール１と同様に、複数のレール部材が、上下に一直線状に配置されることによって構成される。また、上下に隣接するレール部材は、目板によって接続される。レール部材８ａは、昇降路２内において一番上に配置される。レール部材８ｂは、上端部が、レール部材８ａの下端部に接続される。目板９は、レール部材８ｂの上端部とレール部材８ａの下端部とを接続するためのものである。目板９は、目板３と同様の構成を有し、目板３と同じように、複数のボルト４と、ボルト４と対になるナット５とを使用して、ガイドレール１に固定される。目板９にも、目板３と同様に、支持台６と補強材７とが設けられる。
【００２７】
取付梁１０は、エレベーターの上部機器（返し車・綱止め・調速機、巻上機等）を取り付けるためのものである。取付梁１０は、例えば、断面がコ字状を呈する一対の鋼材からなる。取付梁１０は、ガイドレール８と、ガイドレール８と対を成すガイドレール（図示せず）との間に設けられる。取付梁１０の一方の端部は、目板９に設けられた支持台６の上面に載せられ、固定される。
【００２８】
取付梁１１は、エレベーターの上部機器（返し車・綱止め・調速機、巻上機等）を取り付けるためのものである。取付梁１１は、例えば、断面がコ字状を呈する鋼材からなる。取付梁１１は、ガイドレール１とガイドレール８との間に設けられる。取付梁１１の一方の端部は、取付梁１０の上面に載せられ、固定される。取付梁１１を水平に配置するため、目板３に設けられた支持台６の上面に、嵩上げ台１２が載せられる。嵩上げ台１２は、取付梁１０の高さとほぼ同じ高さを有する。
【００２９】
図６は図５に示す嵩上げ台の斜視図である。嵩上げ台１２は、例えば、支持材１３と、補強材１４とを備える。
支持材１３は、断面がコ字状を呈する部材からなる。即ち、支持材１３は、板状の中央部１３ａと、中央部１３ａの下端部から側方に延びる下部１３ｂと、中央部１３ａの上端部から側方に延びる上部１３ｃとから構成される。中央部１３ａに、複数の取付孔１３ｄが形成される。上部１３ｃに、複数の取付孔１３ｅが形成される。
【００３０】
補強材１４は、板状の部材からなる。補強材１４は、上端が支持材１３の上部１３ｃの下面に、下端が下部１３ｂの上面に固定される。補強材１４の一方の側部は、支持材１３の中央部１３ａの背面に固定される。
【００３１】
嵩上げ台１２は、支持材１３の中央部１３ａの表面がガイドレール１の背面に接触する（対向する）ように、目板３に設けられた支持台６の上面に載せられる。嵩上げ台１２は、クリップ装置１５を使用してガイドレール１（レール部材１ａ）に固定される。クリップ装置１５は、固定金が支持材１３の中央部１３ａとガイドレール１のフランジ部１Ａとを跨ぐように配置される。そして、固定金に形成された貫通孔と支持材１３の中央部１３ａに形成された取付孔１３ｄとを貫通するボルトが、中央部１３ａの背面側でナットに締め付けられる。これにより、固定金が、支持材１３の中央部１３ａとによってガイドレール１のフランジ部１Ａを挟み込み、嵩上げ台１２がガイドレール１に固定される。
【００３２】
取付梁１１の他方の端部は、嵩上げ台１２の上面に載せられ、固定される。取付梁１１の他方の端部を嵩上げ台１２の上部に固定するために、例えば、取付孔１３ｅが使用される。また、取付梁１１の他方の端部は、クリップ装置１６を使用してガイドレール１（レール部材１ａ）に固定される。クリップ装置１６は、クリップ装置１５と同様の構成を有する。
【００３３】
図７はこの発明の実施の形態２におけるエレベーターの支持装置の機能を説明するための図である。図７は、嵩上げ台１２を使用した上記支持装置を示している。嵩上げ台１２を使用することにより、目板３及び９を同じ高さに配置しても、取付梁１１をガイドレール１及び８間に渡って水平に配置することができる。
【００３４】
図８はこの発明の実施の形態２におけるエレベーターの支持装置の機能を説明するための比較図である。図８は、嵩上げ台１２を使用しないで、取付梁１１をガイドレール１及び８間に渡って水平に配置する時の構成を示している。図８に示す構成では、支持梁１０の高さ分、目板３を目板９よりも高い位置に配置しなければならない。このため、レール立ての計画が複雑になり、施工ミスが発生し易くなる。図７に示す構成であれば、レール立ての計画を容易に行うことができ、工場や据付現場での混乱を防止することが可能となる。
【符号の説明】
【００３５】
１、８  ガイドレール
１Ａ  フランジ部
１Ｂ  ガイド部
１ａ、１ｂ、８ａ、８ｂ  レール部材
２  昇降路
３、９  目板
４、１９  ボルト
５、２０  ナット
６、１８  支持台
７、１４  補強材
１０、１１  取付梁
１２  嵩上げ台
１３  支持材
１３ａ  中央部
１３ｂ  下部
１３ｃ  上部
１３ｄ、１３ｅ  取付孔
１５、１６  クリップ装置
１７  固定体
【図１】
0005900169.tif 000002
【図２】
0005900169.tif 000003
【図３】
0005900169.tif 000004
【図４】
0005900169.tif 000005
【図５】
0005900169.tif 000006
【図６】
0005900169.tif 000007
【図７】
0005900169.tif 000008
【図８】
0005900169.tif 000009
【図９】
0005900169.tif 000010
【図１０】
0005900169.tif 000011